(57)【要約】      （修正有）【課題】使用感に優れ、環境負荷が小さいアルコール検知器用のマウスピースとアンプル用のストローを提供する。【解決手段】アルコール検知器用のマウスピース２及びアンプル用のストロー４はそれぞれ紙製であって、外径は４ｍｍ程度の小径になっているが、問題なく使用できる。マウスピース２及びストロー４を構成する紙テープ９、１０、１１は幅が１１ｍｍ以下であり、このような細幅に設定することにより、芯棒８に巻き付けながら紙パイプを製造する場合において、芯棒８が細くてもその曲がり変形を招来することなく、各紙テープ９、１０、１１に適度なテンションを付与できる。従って、外径が４ｍｍ程度の紙製のマウスピース２及びストロー４であっても、高精度で容易に製造できる。【選択図】図１
0003233606.tif 000002
【実用新案登録請求の範囲】
【請求項１】
アルコール検知器用紙製マウスピース又はアンプル用紙製ストローであって、
外径は５ｍｍ以下であり、
複数枚の紙テープが互いに積層した状態で螺旋状に巻かれて、積層したテープは互いに接着されてパイプの形態を成しており、
前記各紙テープは、耐水性を有すると共に人体への有害成分を含まない食品対応の安全性を有し、かつ、前記各紙テープは１１ｍｍ以下の幅である、
アルコール検知器用紙製マウスピース又はアンプル用紙製ストロー。
【請求項２】
内層と中間層と外層の３層の紙テープで構成されて、外径は約４ｍｍで内径は約３．２〜３．４ｍｍに設定されている、
請求項１に記載したアルコール検知器用紙製マウスピース又はアンプル用紙製ストロー。
【請求項３】
前記内層と中間層と外層とを構成する紙テープは、内層から外層に向けて広幅になるように互いに幅が異なっており、かつ、少なくとも内層と中間層との２層を構成する紙テープは７〜１０ｍｍに設定されている、
請求項２に記載したアルコール検知器用紙製マウスピース又はアンプル用紙製ストロー。
【考案の詳細な説明】
【技術分野】
【０００１】
本願考案は、アルコール検知器用紙製マウスピース又はアンプル用紙製ストローに関するものである（なお、「又は」は「及び」も含んでいる。）。アルコール検知器に使用する使い捨てマウスピースはストローと呼ばれていることも多いので、アルコール検知器用紙製マウスピースは、「アルコール検知器用紙製ストロー」と呼ぶことも可能である。
【背景技術】
【０００２】
飲料を飲むためのストローをプラスチック製から紙製に置き換える動きは世界的な潮流になっており、我が国でも紙製ストローは既に多く市販されている。プラスチック製にしても紙製にしても、ストローの外径は一般に６ｍｍになっていることが多く、用途によっては１１ｍｍ程度のものも市販されている。しかし、コップなどから飲料を吸引するための紙製ストローにおいて、例えば外径が５ｍｍや４ｍｍといった小径ものは見当たらない。
【０００３】
紙製ストローにおいて５ｍｍや４ｍｍの外径のものが見当たらない理由の１つは、コップなどから飲料を吸引する場合は、吸い込みの抵抗との関係からあまり小径であるのは好ましくないという実情に起因していると思料される。
【０００４】
つまり、プラスチック製のストローにおいては、紙製等の小容量の容器に付属したものとして外径が５ｍｍ程度のものが見られるが、プラスチックの場合は、厚さを薄くできて内径をできるだけ大きくできると共に内面は平滑で流体の流れ抵抗も小さいため、５ｍｍ程度の外径であっても使用可能であるのに対して、紙製の場合はある程度の厚さが必要であるため、外径がプラスチック製と同じであっても内径はプラスチック製よりも小径になりがちであることと、紙の表面は微細にみると凹凸になっていてプラスチック製よりも流れ抵抗が大きいようにみえることとにより、５ｍｍ程度の外径になると紙製では使用しにくいという認識が需要者にあると推測される。
【０００５】
外径が５ｍｍや４ｍｍといった小径のストローがみられない他の理由として、製造の困難性が挙げられる。すなわち、紙製ストローの製法は、例えば特許文献１に開示されているように、複数枚の紙テープを芯棒に螺旋状かつ積層状に巻きながら、積層された紙テープの相互間を接着してパイプの形態に成していくのが一般的であるが、紙製ストローの外径が５ｍｍよりも小径になると芯棒も小径になって曲がりやすくなるため、芯棒を安定した姿勢に保持して真直性が高い紙製ストロー（或いは紙パイプ）を製造することは困難であった。
【０００６】
このため、紙製ストローのような紙パイプの業界では、外径が５ｍｍよりも小径のものを製造することができないというのが常識であった。従って、仮に４ｍｍや５ｍｍの外径の紙製ストロー（紙パイプ）について需要（注文）があったとしても業界はこれに応えることはできず、この場合はプラスチック製のものを使用せざるを得ないのが現状である。
【０００７】
結局、外径が４ｍｍや５ｍｍの外径の紙製ストローについては、需要者は使用し難いという認識に支配されている一方、供給者にとっては品質を保持しつつ量産することはできないという認識に支配されており、従って、環境負荷の軽減や脱炭素といった世界的潮流でプラスチックから紙への素材変更が提唱されてはいても、４ｍｍや５ｍｍの外径のストローについてプラスチック製品の使用を継続せねばならない状況にあったといえる。
【０００８】
他方、貨物や人を運ぶ運送業界では、運転手、運転士、操縦士などの従業員のアルコール摂取管理が必要であり、そこで、アルコール検知器（アルコールチェッカー）を使用して始業前に呼気からアルコール濃度を測定している。アルコール検知器は、検知部に息を吹きかけるだけの方式もあるが、使い捨てのマウスピースを使用していることが多く、マウスピースとしては、ストローと同じ形態のプラスチック製パイプが使用されている（例えば特許文献２参照）。
【０００９】
アルコール検知器において、アルコール（エチルアルコール）の検出原理には幾種類かあるが、いずれにしても、マウスピースは４〜６ｍｍ程度の小径になっている。これは、アルコール成分の素通りを防止して、センサ部とアルコール成分との接触性を確実化するためと思われる。
【先行技術文献】
【特許文献】
【００１０】
【特許文献１】特開２０２０−１７１４３８号公報
【特許文献２】特開２０１３−９６９６５号公報（特に段落００１５）
【考案の概要】
【考案が解決しようとする課題】
【００１１】
さて、上記のとおり、アルコール検知器用のマウスピースとしてプラスチック製の小径パイプが使用されているが、プラスチック製のマウスピースは、使用後にゴミとして焼却するに際して大きな熱量と有害物質が発生して炉を痛めやすいなどの問題や、事業所では産業廃棄物として処理せねばならないため廃棄に手間がかかるといった問題がある。
【００１２】
従って、プラスチック製のマウスピースを紙製に置き換えることによる利点はあるが、既述のとおり、紙製ストローと同様に４ｍｍや５ｍｍの外径の紙パイプは製造できないというのが供給者の常識である一方、需要者（使用者）は、ストローと同様に、４ｍｍや５ｍｍの小径の紙製マウスピースは抵抗が大きくて使用しづらいという認識に支配されていたと思料され、このため、アルコール検知器用のマウスピースについても、紙製に置き換えることは困難な状況にあった。
【００１３】
他方、例えば少量の液薬や栄養液などの包装手段としてアンプルがあり、このアンプルは、開封してからの内容物の飲み方としては、顔を上向きに起こしてアンプルから直接口中に注ぎ出しているのが普通であるが、口をアンプルに直接当てると不衛生であり、さりとて、開口部を宙に浮かした状態で飲むのは面倒であり、また、内容物によって僅かずつ飲みたいという要望が想定されるが、このよう要望には応え難い。更に、顔を上げて飲むことに見た目が悪いとして抵抗を感じる人の存在も想定される。
【００１４】
本願考案は、このような現状を改善すべく成されたものである。
【課題を解決するための手段】
【００１５】
本願考案者は、外径が４ｍｍの紙製パイプを製造して、口にくわえて息を吹き出してみると共に、ストローとして使用してみた。このような試作と実際の使用とを通じて、本願考案を完成させるに至った。
【００１６】
すなわち、本願考案は、アルコール検知器用の紙製マウスピース又は（及び）アンプル用紙製ストローを対象にしており、請求項１の考案では、
「外径は５ｍｍ以下であり、
複数枚の紙テープが互いに積層した状態で螺旋状に巻かれて、積層したテープは互いに接着されてパイプの形態を成しており、
前記各紙テープは、耐水性を有すると共に人体への有害成分を含まない食品対応の安全性を有し、かつ、前記各紙テープは１１ｍｍ以下の幅である」
という構成になっている。
【００１７】
本願考案は、様々に展開できる。その例として請求項２の考案は、請求項１において、
「内層と中間層と外層の３層の紙テープで構成されて、外径は約４ｍｍで内径は約３．２〜３．４ｍｍに設定されている」
という構成になっている。
【００１８】
また、請求項３の考案は、請求項２において、
「前記内層と中間層と外層とを構成する紙テープは、内層から外層に向けて広幅になるように互いに幅が異なっており、かつ、少なくとも内層と中間層との２層を構成する紙テープは７〜１０ｍｍに設定されている」
という構成になっている。
【考案の効果】
【００１９】
さて、本願考案者は、上記のとおり外径が４ｍｍの紙製パイプを製造して、口にくわえて息を吹き出してみた。その結果、アルコール検知器のマウスピースとして、従来のプラスチック製と全く同じに使用できることを発見した。すなわち、アルコール検知器への装着性（シール性）には何の問題もないと共に、呼気も特段の問題も無く吹き出すことができた。むしろ、プラスチックに比べて唇への肌触りが良くて使用感に優れている利点があった。
【００２０】
そして、紙製のマウスピースは使用後は一般ゴミとして廃棄できるため、事業所の人的負担を大幅に軽減できるのみならず、自治体等が焼却するに際しては、熱量は低いため焼却炉の痛めることもないと共に有害ガスの発生はなくて環境負荷は小さい。
【００２１】
他方、薬液や栄養液などを包装したアンプルについて見ると、開封してからストローで飲めると便利であると共に見た目もよいが、アンプルは括れ部等の細い部分をカッターで切断して開封するため、通常の６ｍｍほどの外径のストローは使用できないことが大半である。この点、本願考案のストローは５ｍｍ以下であるため、アンプルにも使用できる。特に、請求項２のように外径を約４ｍｍに設定すると、殆どのアンプルに使用できる。
【００２２】
そして、外径が５ｍｍ以下になると吸引抵抗は大きくなって単位時間当たりの吸い込み量は少なくなるが、アンプルの内容量は元々少量であり、飲料の場合とは異なって僅かずつの吸引で足りるし、むしろ、僅かずつ飲みたいという要望も存在するのであり、従って、使用上の問題はない。
【００２３】
つまり、アンプル用のストローは、通常の飲料用ストローとは異なって吸引抵抗は実際には問題ではなく、むしろ、僅かずつ飲めるほうが使用者の要望に合致しているのであり、従って、本願考案のストローにより、アンプルの内用物を特段の不都合無しに、かつ、見た目が良い状態で飲むことができる。従って、アンプルの使用者に朗報であると共に、アンプルの需要増大に貢献できる。見た目がよい状態でアンプルから飲めるため、女性のアンプル使用も促進できる。
【００２４】
さて、紙パイプの外径が５ｍｍであると、製造するに際して使用する芯棒の外径は４．３ｍｍ前後になり、外径が４ｍｍであると芯棒の外径は３．３ｍｍ前後になる。芯棒は鋼等の金属製であるが、この程度に細くなると紙テープによる引っ張りによって曲がりやすくなり、すると、紙パイプを真っ直ぐに製造できなくなりやすい。
【００２５】
しかるに、本願考案は、紙パイプを構成する材料の紙テープを１１ｍｍ以下の幅に設定したことにより、芯棒の曲がり変形を防止しつつ紙テープを適度のテンションで芯棒に巻き付けていくことがきる。すなわち、本願考案者は、実験を繰り返して、紙テープをこの幅に設定すると、芯棒に作用する曲げ力を抑制しつつ紙テープを適度のテンションで巻き付けできることを見い出したものであり、これにより、紙パイプに関する技術常識を覆して、５ｍｍ以下の外径で曲がりがない状態に容易に製造できるに至った。
【００２６】
請求項３のように３枚（３層の）の紙テープを使用すると、各紙テープを約１２０°間隔で芯棒に繰り出せるため、紙テープによって芯棒に作用する引っ張り力を均等化することにより、必要な巻き付け力（テンション）は確保しつつ芯棒の曲がりを防止できて好適である。特に、請求項３のように、３層の紙テープの幅を異ならせると共に少なくとも内層と中間層とを７〜１０ｍｍの幅に設定すると、一定の厚さに美麗に仕上げることができて好適であった（なお、紙テープの巻き方によっては厚さが不均一になることもある。）。
【図面の簡単な説明】
【００２７】
【図１】実施形態を示す図であり、（Ａ）はアルコール検知器のマウスピースに適用した例の斜視図、（Ｂ）はアンプル用ストローに適用した例の斜視図、（Ｃ）は（Ａ）及び（Ｂ）のＣ−Ｃ視断面図、（Ｄ）は製造工程の概略側面図、（Ｅ）は（Ｄ）のＥ−Ｅ視断面図、（Ｆ）〜（Ｈ）は紙テープの巻き方を示す模式図である。
【考案を実施するための形態】
【００２８】
次に、本願考案の実施形態を図面に基づいて説明する。図１において、（Ａ）ではアルコール検知器１に使用する紙製のマウスピース２を示しており、（Ｂ）では、アンプル３に使用する紙製のストロー４を示している。
【００２９】
（Ａ）では、アルコール検知器１はマウスピース２の差し込み口１ａのみを表示しており、全体は省略している。アルコール検知器１は様々の形態があるが、本実施形態のマウスピース２は、径が適合したらどのようなタイプにも使用できる。マウスピース２の外径Ｄ１は約４ｍｍ、内径Ｄ２は約４．３ｍｍになっている。長さは任意に設定できるが、５０〜１００ｍｍ程度が多い。
【００３０】
アンプル３は、括れ部３ａを介して小径のヘッド３ｂが一体に形成されており、括れ部３ａにカッター（図示せず）で切り目を入れて、手で折損することによって開封される。ヘッド３ｂの折損によって形成された開口にストロー４を差し込んで内容物を吸引できる。ストロー４はマウスピース２と同じ紙パイプを使用しており、マウスピース２とは長さのみが相違している。ストロー４も、その長さは任意に設定できる。
【００３１】
アンプル３は紙製の包装箱に包装されていることが多いが、ストロー４は、例えば包装箱にアンプル３と同梱できる。或いは、アンプル３の外周面にテープ又は接着剤で止めておくこともできる。いずれの場合もストロー４は袋に個包装しておくのが好ましいが、この場合は、袋も紙製であるのが好ましい。なお、図示のアンプル３は円筒状の形態になっているが、偏平状や角形など様々な形態がある。
【００３２】
マウスピース２及びストロー４は、（Ｃ）に示すように、内層５と中間層６と外層７との三層構造になっている。すなわち、３枚の紙テープで構成されている。各層５，６，７のそれぞれは、（Ｆ）に示すように、重複せずにかつ隙間がない状態に巻まかれていてもよいし、（Ｇ）に示すように、部分的に重複した状態に巻かれていてもよいし、更に、（Ｈ）に示すように、隙間が空いた状態に巻かれていてもよい。
【００３３】
例えば、内層５と外層７とは重複しない状態に巻いて、中間層６のみ重複した状態に巻くなど、一層又は二層は非重複状態に巻いて他の層は重複状態に巻くといったこともできる。敢えて述べるまでもないが、巻き方は紙テープのリード角を調節して変更できる。
【００３４】
各層５，６，７のそれぞれが（Ｆ）のように非重複で且つ隙間なく巻まかれていると、マウスピース２及びストロー４は完全に等厚になる。他方、いずれかの層を重複状態に巻くと、重複箇所は厚肉になる。流れ抵抗の抑制の点からは、少なくとも内層５は重複せずに隙間なく巻かれた状態が好ましいといえる。（Ｈ）のように隙間がある状態に巻かれた紙テープがあると、紙パイプは部分的に２層になる。
【００３５】
内外に重なり合った各層５，６，７の相互間は接着されているが、内層５は表裏両面のいずれにも接着剤は塗布されずに、中間層６の内面と外層７の内面に接着剤（糊）が塗布されている。
【００３６】
マウスピース２及びストロー４を構成する各層５，６，７は、（Ｄ）（Ｅ）に示すように紙テープ８，９，１０によって構成されている。各紙テープ８，９，１０は共通の原紙をスリットして作られており、原紙は、パルプの製造、洗浄、漂白、抄紙といった工程で製造されるが、本実施形態に使用する原紙は、紙の密度を高めたり、セルロース同士を結合させたり、撥水剤を添加したりするなどして高い耐水性が保持されていると共に、各工程において使用するサイズ剤や接着剤などに関して人体に有害なものが添加されていない食品対応性になっている。従って、マウスピース２及びストロー４とも、安全に使用できる。
【００３７】
マウスピース２及びストロー４になる紙パイプは、（Ｄ）（Ｅ）に模式的に示すように、金属製の芯棒８に第１〜第３の紙テープ９，１０，１１の螺旋状に巻きつけていくことによって製造される。第１紙テープ９は内層５を形成し、第２紙テープ１０は中間層６を形成し、第３紙テープ１１は外層７を構成している。各紙テープ９，１０，１１は図示しないベルトで繰り出されており、第２紙テープ１０と第３紙テープ１１の内面には、繰り出し途中にローラによって接着剤（糊）が塗工されている。
【００３８】
各紙テープ９，１０，１１は、周方向に略等間隔を隔てた方向から芯棒８に繰り出されており、適度のテンションが付与されているが、芯棒８はいわば周方向に３方向から引っ張られる状態になるため、各紙テープ９，１０，１１に適度のテンションを付与しつつ、芯棒８を真っ直ぐな状態に保持できる。従って、芯棒８が３．３ｍｍ程度の小径であっても、曲がりがない高品質の紙パイプを製造できる。
【００３９】
第１紙テープ９のＷ１と第２紙テープ１０のＷ２と第３紙テープ１のＷ３とは、Ｗ１＜Ｗ２＜Ｗ３の関係にあり、かつ、Ｗ１とＷ２は７〜１０ｍｍの範囲にある。Ｗ３は１１ｍｍ以下であるが、１０ｍｍ以下にも設定できる。
【００４０】
このように、３枚の紙テープ９，１０，１１の幅Ｗ１〜Ｗ３を上記の関係に設定することにより、芯棒８が小径であってもこれに大きな曲げ力が作用することを防止しつつ、各紙テープ９，１０，１１に適度のテンションを付与して、真っ直ぐで高品質の紙パイプを製造できる。なお、芯棒８を回転させつつ各紙テープ９，１０，１１を繰り出すことによって紙パイプが製造されるが、作られて繰り出された紙パイプは、カッターによって所望の長さにカットされていく。
【００４１】
以上、本願考案を説明したが、本願発明は他にも様々に具体化できる。例えば、第３紙テープ１１として色付きのものを使用して、螺旋模様が現れるように設定することも可能である（この場合は、第２紙テープ１０が部分的に露出する。）。
【産業上の利用可能性】
【００４２】
本願考案は、アルコール検知器用のマウスピース及びアンプル用のストローに具体化できる。従って、産業上利用できる。
【符号の説明】
【００４３】
１  アルコール検知器
２  アルコール検知器用紙製マウスピース
３  アンプル
４  アンプル用紙ストロー
５  内層
６  中間層
７  外層
８  芯棒
９〜１１  紙テープ
【図１】
0003233606.tif 000003